(57)【要約】【課題】手動のアーク溶接において、溶接トーチの移動速度を適正範囲に維持することができるようにガイドすること。【解決手段】溶接トーチ４に設けられた３軸加速度センサＤＳと、アーク３が点弧されると３軸加速度センサＤＳからの各軸の加速度信号Ｄｘ〜Ｄｚを積分しこれらの積分信号を合成して溶接トーチの移動速度信号Ｓｔを算出する移動速度算出部ＳＴと、定常状態における移動速度信号Ｓｔの値が適正範囲外にあるときは警報Ｋｈ１を発生させる警報発生部ＫＨ１とを備える。これにより、溶接トーチの移動速度が適正範囲外にあるときは、警報音等の警報が発せられる。溶接作業者はこの警報にガイドされて、溶接トーチの移動速度を適正範囲に操作することができる。【選択図】  図１
2013223879.tif 000002
【特許請求の範囲】
【請求項１】
溶接電流及び溶接電圧を出力する溶接電源と、前記溶接電流及び前記溶接電圧を受けて母材との間でアークを発生させる溶接トーチとを備えたアーク溶接装置において、
前記溶接トーチに設けられた３軸加速度センサと、前記アークが点弧されると前記３軸加速度センサからの各軸の加速度信号を積分しこれらの積分信号を合成して前記溶接トーチの移動速度信号を算出する移動速度算出部と、定常状態における前記移動速度信号の値が所定速度範囲外にあるときは第１の警報を発生させる第１警報発生部と、
を備えたことを特徴とするアーク溶接装置。
【請求項２】
前記アークが点弧されてから前記移動速度信号の変化率が予め定めた第１基準値以上である最初の期間の時間長さが、所定時間範囲外であるときは第２の警報を発生させる第２警報発生部をさらに備える、
ことを特徴とする請求項１記載のアーク溶接装置。
【請求項３】
前記アークが点弧した時点からの経過時間が予め定めた停止時間に達した時点で第３の警報を発生させる第３警報発生部をさらに備える、
ことを特徴とする請求項１又は２記載のアーク溶接装置。
【請求項４】
前記第１警報発生部は、前記移動速度信号の値が前記速度範囲の上限値を超えているときと、前記速度範囲の下限値未満であるときとで異なる周波数の警報音を発生させる、
ことを特徴とする請求項１〜３のいずれか１項に記載のアーク溶接装置。
【請求項５】
前記第１警報発生部の前記定常状態を、前記アークの点弧からの経過時間が予め定めた基準時間以上である機関とする、
ことを特徴とする請求項１〜４のいずれか１項に記載のアーク溶接装置。
【請求項６】
前記第１警報発生部の前記定常状態を、前記アークが点弧されてから前記移動速度信号の変化率が予め定めた第２基準値以上である状態から未満の状態へと最初に変化した時点以降の期間とする、
ことを特徴とする請求項１〜４のいずれか１項に記載のアーク溶接装置。
【請求項７】
前記定常状態における前記移動速度信号の値に応じて前記溶接電流の値を変化させる電流制御設定部をさらに備える、
ことを特徴とする請求項１〜６のいずれか１項に記載のアーク溶接装置。
【発明の詳細な説明】
【技術分野】
【０００１】
本発明は、手動溶接において、溶接トーチの移動速度を適正範囲にガイドすることができるアーク溶接装置に関するものである。
【背景技術】
【０００２】
非消耗電極アーク溶接、消耗電極アーク溶接、プラズマアーク溶接等のアーク溶接において、溶接トーチの移動速度である溶接速度は、母材の板厚、継手形状、溶接法等が設定されるとその適正値が決まる。したがって、ロボット溶接等の自動溶接の場合には、溶接速度を適正値に設定すれば、溶接トーチは正確に設定通りの速度で移動することになる。
【０００３】
他方、溶接作業者が溶接トーチを手で把持して行う手動溶接の場合には、溶接速度を適正値に正確に維持することができるかは各自の技量に左右されることになる。熟練した溶接作業者の場合には、永年の経験と技量によって溶接速度を適正値に維持して溶接することができる。しかし、熟練した溶接作業者でない場合には、溶接速度を適正値に維持して溶接することは難しい。
【０００４】
特許文献１の発明では、溶接線と平行して移動する第１及び第２の検出器を設ける。第２の検出器は第１の検出器の所定距離後方を移動する。第１及び第２の検出器は、アークからの光又は熱を検出すると、警報を出力する。溶接作業者がアークを発生させて溶接トーチの移動を開始すると、第１及び第２の検出器も予め定めた溶接速度に対応する速度で移動を開始する。溶接トーチが第１の検出器と第２の検出器との間に位置している場合は、溶接トーチの移動速度が設定された溶接速度と略同一であることになる。溶接トーチの移動速度が速くなると、第１の検出器に近づくのでアークからの光又は熱を検出して第１の警報を発する。溶接作業者はこの第１の警報を受けて、移動速度が早いことを認識して遅くする。逆に、溶接トーチの移動速度が遅くなると、第２の検出器に近づくのでアークからの光又は熱を検出して第２の警報を発する。溶接作業者はこの第２の警報を受けて、移動速度が遅いことを認識して速くする。このようにして、特許文献１の発明では、溶接トーチの移動速度を適正範囲に維持することを支援している。
【０００５】
特許文献２の発明では、ロボット溶接において、溶接トーチに加速度センサを設け、この加速度センサからの加速度信号を積分して速度波形を算出し、この速度波形を元にさらに積分して位置波形を算出し、この位置波形に基づいて溶接トーチの正確なウィービング波形を算出している。
【先行技術文献】
【特許文献】
【０００６】
【特許文献１】特開昭５２−１２６６５６号公報
【特許文献２】特開２００８−８０３４３号公報
【発明の概要】
【発明が解決しようとする課題】
【０００７】
上述した特許文献１の発明では、溶接トーチの移動速度が適正値に維持されるように支援することができる。しかし、溶接線と平行して第１及び第２の検出器を移動させる特別な装置が必要となり、この装置の設置には時間がかかるために、生産効率が低下する問題がある。
【０００８】
そこで、本発明では、手動のアーク溶接において、生産効率を低下させることなく、溶接トーチの移動速度を適正範囲に維持することを支援することができるアーク溶接装置を提供することを目的とする。
【課題を解決するための手段】
【０００９】
上述した課題を解決するために、請求項１の発明は、溶接電流及び溶接電圧を出力する溶接電源と、前記溶接電流及び前記溶接電圧を受けて母材との間でアークを発生させる溶接トーチとを備えたアーク溶接装置において、
前記溶接トーチに設けられた３軸加速度センサと、前記アークが点弧されると前記３軸加速度センサからの各軸の加速度信号を積分しこれらの積分信号を合成して前記溶接トーチの移動速度信号を算出する移動速度算出部と、定常状態における前記移動速度信号の値が所定速度範囲外にあるときは第１の警報を発生させる第１警報発生部と、
を備えたことを特徴とするアーク溶接装置である。
【００１０】
請求項２の発明は、前記アークが点弧されてから前記移動速度信号の変化率が予め定めた第１基準値以上である最初の期間の時間長さが、所定時間範囲外であるときは第２の警報を発生させる第２警報発生部をさらに備える、
ことを特徴とする請求項１記載のアーク溶接装置である。
【００１１】
請求項３の発明は、前記アークが点弧した時点からの経過時間が予め定めた停止時間に達した時点で第３の警報を発生させる第３警報発生部をさらに備える、
ことを特徴とする請求項１又は２記載のアーク溶接装置である。
【００１２】
請求項４の発明は、前記第１警報発生部は、前記移動速度信号の値が前記速度範囲の上限値を超えているときと、前記速度範囲の下限値未満であるときとで異なる周波数の警報音を発生させる、
ことを特徴とする請求項１〜３のいずれか１項に記載のアーク溶接装置である。
【００１３】
請求項５の発明は、前記第１警報発生部の前記定常状態を、前記アークの点弧からの経過時間が予め定めた基準時間以上である機関とする、
ことを特徴とする請求項１〜４のいずれか１項に記載のアーク溶接装置である。
【００１４】
請求項６の発明は、前記第１警報発生部の前記定常状態を、前記アークが点弧されてから前記移動速度信号の変化率が予め定めた第２基準値以上である状態から未満の状態へと最初に変化した時点以降の期間とする、
ことを特徴とする請求項１〜４のいずれか１項に記載のアーク溶接装置である。
【００１５】
請求項７の発明は、前記定常状態における前記移動速度信号の値に応じて前記溶接電流の値を変化させる電流制御設定部をさらに備える、
ことを特徴とする請求項１〜６のいずれか１項に記載のアーク溶接装置である。
【発明の効果】
【００１６】
本発明によれば、溶接トーチの移動速度が所定速度範囲外にあるときは、警報音等の警報が発せられる。溶接作業者はこの警報にガイドされて、溶接トーチの移動速度を上記速度範囲に操作することができる。また、警報を発するようにするために、溶接前の準備及び溶接中に追加される作業はないので、生産効率が低下することもない。したがって、本発明では、手動のアーク溶接において、生産効率を低下させることなく、溶接トーチの移動速度を適正範囲に維持することを支援することができる。
【図面の簡単な説明】
【００１７】
【図１】本発明の実施の形態１に係るアーク溶接装置のブロック図である。
【図２】図１のアーク溶接装置の各信号のタイミングチャートである。
【図３】本発明の実施の形態２に係るアーク溶接装置のブロック図である。
【図４】図３のアーク溶接装置の各信号のタイミングチャートである。
【発明を実施するための形態】
【００１８】
以下、図面を参照して本発明の実施の形態について説明する。
【００１９】
［実施の形態１］
溶接トーチに設けられた３軸加速度センサからの加速度信号から移動速度を算出する方法について、以下に説明する。ｘ軸、ｙ軸及びｚ軸からの加速度信号をそれぞれＤｘ、Ｄｙ及びＤｚとする。これらの加速度信号を下式のように積分すると、各軸方向の速度Ｓｘ、Ｓｙ及びＳｚが算出される。
Ｓｘ＝∫Ｄｘ・ｄｔ
Ｓｙ＝∫Ｄｙ・ｄｔ
Ｓｚ＝∫Ｄｚ・ｄｔ
これらの積分は、アークが点弧（溶接電流が通電）された時点から溶接が終了するまでの期間行われる。
【００２０】
算出された各軸方向の速度Ｓｘ、Ｓｙ及びＳｚを下式のようにして合成して、溶接トーチの移動速度Ｓｔを算出する。
Ｓｔ＝（Ｓｘ２＋Ｓｙ２＋Ｓｚ２）１／２    （１）式
したがって、この（１）式を使用すれば、各軸の加速度信号Ｄｘ〜Ｄｚを入力として、溶接トーチの移動速度Ｓｔを算出することができる。
【００２１】
図１は、本発明の実施の形態１に係るアーク溶接装置のブロック図である。同図は、アーク溶接装置が非消耗電極アーク溶接装置の場合であるが、消耗電極アーク溶接装置及びプラズマアーク溶接装置の場合も同様である。以下、同図を参照して各ブロックについて説明する。
【００２２】
電流設定回路ＩＲは、予め定めた電流設定信号Ｉｒを出力する。溶接電源ＰＳは、一般的な定電流特性を有する非消耗電極アーク溶接用の溶接電源であり、後述する溶接開始信号Ｏｎ及び上記の電流設定信号Ｉｒを入力として、溶接開始信号ＯｎがＨｉｇｈレベルになると電流設定信号Ｉｒによって設定された溶接電流Ｉｗを出力する。溶接トーチ４の先端に装着されたタングステン等の電極１と母材２との間に溶接電流Ｉｗが通電するアーク３が発生し、溶接電圧Ｖｗが印加する。アークを点弧させるために、高周波高電圧が溶接電圧Ｖｗに重畳されるが、この高周波高電圧発生回路については、図示は省略する。
【００２３】
溶接トーチ４には、３軸の加速度センサＤＳが設けられている。この加速度センサＤＳは、ｘ軸方向の加速度信号Ｄｘ、ｙ軸方向の加速度信号Ｄｙ及びｚ軸方向の加速度信号Ｄｚを出力する。これらの加速度信号Ｄｘ〜Ｄｚは、それぞれの軸方向に加わる加速度を検出して出力する。
【００２４】
トーチスイッチＯＮは、溶接トーチ４に設けられており、溶接作業者がオンするとＨｉｇｈレベルになる溶接開始信号Ｏｎを上記の溶接電源ＰＳに出力する。溶接電源ＰＳは、この溶接開始信号ＯｎがＨｉｇｈレベルになると起動される。溶接電流検出回路ＩＤは、上記の溶接電流Ｉｗを検出して、電流検出信号Ｉｄを出力する。通電判別回路ＣＤは、この電流検出信号Ｉｄを入力として、この値が予め定めたしきい値以上になるとＨｉｇｈレベルとなる通電判別信号Ｃｄを出力する。しきい値は、溶接電流Ｉｗが通電していることを判別できるように１Ａ程度に設定される。通電判別信号ＣｄがＨｉｇｈレベルであるときは、アーク３が発生しているときである。
【００２５】
移動速度算出回路ＳＴは、上記の各軸の加速度信号Ｄｘ〜Ｄｚ及び上記の通電判別信号Ｃｄを入力として、通電判別信号ＣｄがＨｉｇｈレベル（通電）に変化すると上述した（１）式に基づいて溶接トーチ４の移動速度信号Ｓｔを算出する。移動速度変化率算出回路ＤＳＴは、この移動速度信号Ｓｔを入力として、その変化率（微分値）を算出して、移動速度変化率信号Ｄstとして出力する。
【００２６】
第３警報発生回路ＫＨ３は、上記の通電判別信号Ｃｄを入力として、通電判別信号ＣｄがＨｉｇｈレベル（通電）に変化した時点から予め定めた停止時間Ｔｓが経過した時点で短時間Ｈｉｇｈレベルになる第３警報信号Ｋh3を出力する。溶接作業者は、アーク３が点弧して溶接電流Ｉｗが通電を開始してから、適当な溶融池が形成されるまで溶接トーチ４を停止させる。この溶接トーチ４を停止させている時間が、上記の停止時間Ｔｓに相当する。
【００２７】
第２警報発生回路ＫＨ２は、上記の移動速度変化率信号Ｄst及び上記の通電判別信号Ｃｄを入力として、移動速度変化率信号Ｄstの値が、通電判別信号ＣｄがＨｉｇｈレベル（通電）に変化してから予め定めた第１基準値以上である最初の期間の長さが所定時間範囲外であるときはＨｉｇｈレベルとなる第２警報信号Ｋh2を出力する。この第１基準値は、溶接トーチ４が停止状態又は定速状態にあるか、加速状態又は減速状態にあるかを判別するためのしきい値である。上記の移動速度変化率信号Ｄstの値が、通電判別信号ＣｄがＨｉｇｈレベル（通電）に変化してから第１基準値以上である最初の期間とは、アークが点弧して溶接トーチ４を停止している状態から定速状態へと移行する加速状態の期間を意味している。異常表示灯回路ＰＬは、この第２警報信号Ｋh2を入力として、第２警報信号Ｋh2がＨｉｇｈレベルのときは異常表示灯を点灯させる。
【００２８】
溶接速度設定回路ＳＲは、適正な溶接速度を設定するための予め定めた溶接速度設定信号Ｓｒを出力する。第１警報発生回路ＫＨ１は、この溶接速度設定信号Ｓｒ、上記の移動速度信号Ｓｔ及び上記の移動速度変化率信号Ｄstを入力として、移動速度変化率信号Ｄstの値が予め定めた第２基準値以上の状態から未満の状態へと変化した時点以降の期間（定常状態）中において、移動速度信号Ｓｔの値が、溶接速度設定信号Ｓｒに基づいて設定される所定速度範囲の上限値を超えているときはその値が１となり、上記の所定速度範囲の下限値未満のときはその値が２となり、上記の所定速度範囲内のときはその値が０となる第１警報信号Ｋh1を出力する。この第２基準値は、基本的には上記の第１基準値と同一値で良い。
【００２９】
サウンド出力回路ＳＤは、上記の第３警報信号Ｋh3及び上記の第１警報信号Ｋh1を入力として、第３警報信号Ｋh3がＨｉｇｈレベルのとき、第１警報信号Ｋh1＝１のとき又は第１警報信号Ｋh1＝２のときは、それぞれ異なる周波数の音を鳴らすためのサウンドＳｄを出力する。サウンドＳｄの周波数を異なる値にしているのは、警報の種類を音によって区別できるようにするためである。
【００３０】
上記の電流設定回路ＩＲ、上記の溶接電流検出回路ＩＤ、上記の通電判別回路ＣＤ、上記の移動速度算出回路ＳＴ、上記の移動速度変化率算出回路ＤＳＴ、上記の第３警報発生回路ＫＨ３、上記の第２警報発生回路ＫＨ２、上記の異常表示灯回路ＰＬ、上記の溶接速度設定回路ＳＲ、上記の第１警報発生回路ＫＨ１、上記のサウンド出力回路ＳＤを、上記の溶接電源ＰＳに内蔵しても良い。また、これらの回路を別の独立したサウンド発生器に内蔵しても良い。
【００３１】
図２は、図１で上述したアーク溶接装置の各信号のタイミングチャートである。同図（Ａ）は溶接開始信号Ｏｎを示し、同図（Ｂ）は溶接電流Ｉｗを示し、同図（Ｃ）は通電判別信号Ｃｄを示し、同図（Ｄ）は移動速度信号Ｓｔを示し、同図（Ｅ）は移動速度変化率信号Ｄstを示し、同図（Ｆ）は第３警報信号Ｋh3を示し、同図（Ｇ）は第２警報信号Ｋh2を示し、同図（Ｈ）は第１警報信号Ｋh1を示し、同図（Ｉ）はサウンドＳｄを示す。以下、同図を参照して説明する。
【００３２】
時刻ｔ０において、溶接作業者がトーチスイッチＯｎをオンすると、同図（Ａ）に示すように、溶接開始信号ＯｎがＨｉｇｈレベルに変化する。これに応動して、図１の溶接電源ＰＳが起動されて、電極１と母材２との間に無負荷電圧値の溶接電圧Ｖｗが印加し、アーク３を点弧するための高周波高電圧が溶接電圧Ｖｗに重畳する。溶接トーチ４は、時刻ｔ２までは停止した状態にある。かつ、電極１と母材２との距離（トーチ高さ）は、時刻ｔ０から溶接が終了するまで適正値に維持されている。
【００３３】
時刻ｔ１において、アーク３が点弧すると、同図（Ｂ）に示すように、図１の電流設定信号Ｉｒによって設定された値の溶接電流Ｉｗが通電を開始する。これに応動して、同図（Ｃ）に示すように、通電判別信号ＣｄがＨｉｇｈレベルに変化する。
【００３４】
通電判別信号ＣｄがＨｉｇｈレベルに変化した時刻ｔ１から予め定めた停止時間Ｔｓが経過した時刻ｔ２において、同図（Ｆ）に示すように、第３警報信号Ｋh3が短時間Ｈｉｇｈレベルになる。これに応動して、同図（Ｉ）に示すように、サウンドＳｄが短時間出力されて、例えば「ピー」という警報音が短く鳴る。溶接作業者は、この警報音を聴くと、溶接方向への溶接トーチ４の移動を開始する。これに応動して、同図（Ｄ）に示すように、移動速度信号Ｓｔは、時刻ｔ２から次第に速くなり、時刻ｔ３において定速状態のＳt1に収束し、時刻ｔ４までこの状態が続く。同図（Ｅ）に示すように、移動速度変化率信号Ｄstは、時刻ｔ２までは０であり、時刻ｔ２から曲線状に大きくなり、時刻ｔ２〜ｔ３の中間時点でピーク値となり、その後は曲線状に小さくなり、時刻ｔ３において０に戻る。
【００３５】
図１の第２警報発生回路ＫＨ２は、移動速度変化率信号Ｄstが０よりも少し大きな値である第１基準値以上となる過渡期間（略時刻ｔ２〜ｔ３の期間）の時間長さを検出し、この時間長さが所定時間範囲内にあるかを判別する。この過渡期間は、移動速度信号Ｓｔが変化している期間であり、溶接トーチ４の移動を開始してから定速状態に至るまでの過渡期間となる。同図では、この過渡期間の時間長さが所定時間範囲よりも短くて、所定時間範囲外にある場合とする。このために、時刻ｔ３において、同図（Ｇ）に示すように、第２警報信号Ｋh2がＨｉｇｈレベルに変化して、その状態を保持する。第２警報信号Ｋh2がＨｉｇｈレベルに変化すると、図１の異常表示灯ＰＬが点灯する。上述した第２警報発生回路ＫＨ２は、溶接トーチ４の移動を開始してから定速状態に至るまでの過渡期間が適正であるかを判別していることになる。この過渡期間が適正範囲（所定時間範囲）よりも短くても長くても、溶接品質が悪くなるおそれがある。したがって、過渡期間が適正範囲外にあるときは異常表示灯を点灯させる等の警報を発することで、溶接作業者がこの判別結果を認識できるようにしている。これにより、溶接作業者は、次の溶接において、この判別結果を活かすことができる。上記の所定時間範囲は、溶接品質が悪くならない過渡期間の時間長さとして設定される。
【００３６】
図１の第１警報発生回路ＫＨ１は、同図（Ｅ）に示す移動速度変化率信号Ｄstの値が０よりも少し大きな値である第２基準値（第１基準値と同一値でも良い）よりも大きな値から小さな値へと下降した時点（略時刻ｔ３）以降の期間を定常状態であると判別する。また、時刻ｔ１においてアーク３が点弧してからの経過時間が予め定めた基準時間に達した以降の期間を定常状態として判別しても良い。すなわち、同図（Ｄ）に示す移動速度信号Ｓｔの値が過渡期間を経て定速状態に収束した状態を定常状態として判別する。同図では、時刻ｔ３〜ｔ４の定常状態における移動速度信号Ｓｔの値はＳt1となっている。そして、第１警報発生回路ＫＨ１は、この移動速度Ｓt1が所定速度範囲内にあるかを判別する。すなわち、第１警報発生回路ＫＨ１は、移動速度Ｓt1が所定速度範囲の上限値よりも速いときは１となる第１警報信号Ｋh1を出力し、下限値よりも遅いときは２となる第１警報信号Ｋh1を出力する。同図では、移動速度Ｓt1が所定速度範囲の上限値よりも速い場合とする。このために、同図（Ｈ）に示すように、第１警報信号Ｋh1は、時刻ｔ３〜ｔ５の期間中は１（Ｈｉｇｈレベルとして表示）となる。これに応動して、同図（Ｉ）に示すように、サウンド信号Ｓｄが時刻ｔ３〜ｔ５の期間中出力されて、これに対応した周波数の音が鳴る。
【００３７】
溶接作業者は、この警報音を聴いて、溶接トーチ４の移動速度Ｓt1が所定速度範囲の上限値よりも速いことを認識する。そこで、溶接作業者は、時刻ｔ４から溶接トーチ４の移動速度が遅くなるように操作する。この操作によって、同図（Ｄ）に示すように、移動速度信号Ｓｔは、時刻ｔ４から次第に遅くなり、時刻ｔ５で定速状態になり、それ以降はその速度を保持する。この時刻ｔ５以降の定速状態における移動速度をＳt2とする。この移動速度Ｓt2は所定速度範囲内にあるので、同図（Ｈ）に示すように、第１警報信号Ｋh1は時刻ｔ５において０（Ｌｏｗレベル）に変化する。これに応動して、同図（Ｉ）に示すように、サウンドＳｄの出力は時刻ｔ５において停止し、警報音も停止する。このように、溶接作業者は、第１警報信号Ｋh1による警報音の種類（周波数）にガイドされて、所定速度範囲内に収まるように溶接トーチ４の移動速度を操作することができる。同図（Ｅ）に示すように、移動速度変化率信号Ｄstは、時刻ｔ４〜ｔ５の期間中は移動速度の減速に伴って負の値のピーク値を示す正弦波の半周期波形となる。この波形によっては何らの処理も行われない。
【００３８】
上記の所定速度範囲は、母材の板厚、継手形状、溶接法等によって定まる適正な溶接速度設定信号Ｓｒの値を中心値として許容できる変動範囲を加味して設定される。例えば、溶接速度設定信号Ｓｒの値が５０cm/minであるときに、所定速度範囲を５０±５の範囲として設定する。
【００３９】
整理すると、定常状態における移動速度信号Ｓｔの値が、所定速度範囲の上限値よりも速い場合、所定速度範囲内にある場合、所定速度範囲の下限値よりも遅い場合の３つの場合を判別する。そして、所定速度範囲よりも速い場合と下限値よりも遅い場合とでは異なる周波数の警報音を鳴らす。溶接作業者は、この警報音の種類によって移動速度が適正範囲にあるかを認識することができる。
【００４０】
次に、上述した実施の形態に係る発明の作用効果について説明する。
（１）溶接作業者が、溶接開始位置で溶接トーチを停止させた状態で、トーチスイッチをオンすると、アークが点弧する。このアークの点弧を溶接電流の通電で判別し、判別から予め定めた停止時間Ｔｓが経過すると、第３警報信号Ｋh3によって警報音が鳴る。溶接作業者はこの警報音を聴くと、溶接トーチの溶接方向への移動を開始する。これにより、アークが点弧されて溶融池の形成状態が適正状態になった時点で、溶接トーチの移動を開始することができるので、アークスタート部の溶接品質が向上する。アークが点弧されて溶融池の形成状態が適正状態になった時点を、上記の停止時間Ｔｓで予め設定しておく。
【００４１】
（２）溶接作業者は、溶接トーチの移動を開始して、定速状態を保持する。この溶接トーチの移動開始から定速状態に至るまでの過渡期間中は、移動速度は０から定速値まで加速される。この過渡期間が短くても、長くても、溶接品質は悪くなる。つまり、この過渡期間には適正範囲（所定時間範囲）が存在する。そこで、この過渡期間を検出して、この過渡期間の時間長さが適正範囲外にあるときは、第２警報信号Ｋh2によって警報を発するようにしている。これにより、溶接作業者は、過渡期間が適正範囲であったかを認識することができるので、溶接品質の向上に活かすことができる。
【００４２】
（３）溶接作業者は、溶接トーチの移動速度を定速値（溶接速度）に保持する。この溶接速度が母材の板厚、継手形状、溶接法等によってさだまる適正範囲（所定速度範囲）内にあるかを判別する。そして、この溶接速度が適正範囲よりも速い場合又は遅い場合には、第１警報信号Ｋh1によって警報音を鳴らす。この警報音は、溶接速度が適正範囲よりも速い場合と、遅い場合とで、異なる周波数の音とする。これにより、溶接作業者は、溶接トーチの移動速度（溶接速度）が適正範囲よりも速いのか、適正範囲内にあるのか、適正範囲よりも遅いかを認識することができる。このために、溶接作業者は、この警報音にガイドされて、溶接トーチの移動速度を適正範囲に操作することができ、良好な溶接品質を得ることができる。
【００４３】
上述した実施の形態１によれば、溶接トーチに設けられた３軸加速度センサと、アークが点弧されると３軸加速度センサからの各軸の加速度信号を積分しこれらの積分信号を合成して溶接トーチの移動速度信号を算出する移動速度算出部と、定常状態における移動速度信号の値が所定速度範囲外にあるときは警報を発生させる警報発生部とを備える。これにより、溶接トーチの移動速度が所定速度範囲外にあるときは、警報音等の警報が発せられる。溶接作業者はこの警報にガイドされて、溶接トーチの移動速度を上記速度範囲に操作することができる。また、警報を発するようにするために、溶接前の準備及び溶接中に追加される作業はないので、生産効率が低下することもない。したがって、本実施の形態では、手動のアーク溶接において、生産効率を低下させることなく、溶接トーチの移動速度を適正範囲に維持することを支援することができる。
【００４４】
上記においては、第１警報信号Ｋh1及び第３警報信号Ｋh3による警報を、音によって行う場合を説明したが、溶接トーチをバイブレーションさせるようにしても良い。また、表示灯と併用して警報するようにしても良い。また、上記においては、第２警報信号Ｋh2による警報を、異常表示灯を点灯させる場合を説明したが、音声によって警報するようにしても良い。
【００４５】
［実施の形態２］
実施の形態２に係る発明は、定常状態における移動速度信号の値に応じて溶接電流の値を変化させるものである。
【００４６】
図３は、本発明の実施の形態２に係るアーク溶接装置のブロック図である。同図は、アーク溶接装置が非消耗電極アーク溶接装置の場合である。同図は、上述した図１と対応しており、同一ブロックには同一符号を付して、それらの説明は省略する。同図は、図１に電流制御設定回路ＩＣＲを追加したものである。以下、この異なるブロックについて、同図を参照して説明する。
【００４７】
電流制御設定回路ＩＣＲは、移動速度信号Ｓｔ、溶接速度設定信号Ｓｒ及び電流設定信号Ｉｒを入力として、定常状態中において、予め定めた関数によって電流制御設定信号Ｉcrを算出して出力する。この電流制御設定信号Ｉcrは、電流設定信号Ｉｒの代わりに溶接電源ＰＳに入力されて、溶接電流Ｉｗの値を設定する。上記の関数は、例えば、Ｉcr＝Ｉｒ×（Ｓｔ／Ｓｒ）である。この関数によれば、移動速度信号Ｓｔが溶接速度設定信号Ｓｒよりも速くなると、電流制御設定信号Ｉcrは電流設定信号Ｉｒよりも大きくなる。逆に、移動速度信号Ｓｔが溶接速度設定信号Ｓｒよりも遅くなると、電流制御設定信号Ｉcrは電流設定信号Ｉｒよりも小さくなる。これにより、移動速度が速くなると溶接電流Ｉｗの値を大きくすることで溶接ビードの幅が細くなることを抑制し、移動速度が遅くなると溶接電流Ｉｗの値を小さくすることで溶接ビードの幅が太くなることを抑制している。
【００４８】
図４は、図３で上述したアーク溶接装置の各信号のタイミングチャートである。同図（Ａ）は溶接開始信号Ｏｎを示し、同図（Ｂ）は溶接電流Ｉｗを示し、同図（Ｃ）は通電判別信号Ｃｄを示し、同図（Ｄ）は移動速度信号Ｓｔを示し、同図（Ｅ）は移動速度変化率信号Ｄstを示し、同図（Ｆ）は第３警報信号Ｋh3を示し、同図（Ｇ）は第２警報信号Ｋh2を示し、同図（Ｈ）は第１警報信号Ｋh1を示し、同図（Ｉ）はサウンドＳｄを示す。同図は図２と対応しており、同図（Ｂ）に示す溶接電流Ｉｗ以外の信号の波形は同一である。以下、同図を参照して、溶接電流Ｉｗの波形を中心にして説明する。
【００４９】
時刻ｔ１において、アーク３が点弧すると、同図（Ｂ）に示すように、図３の電流設定信号Ｉｒによって設定された値の溶接電流Ｉｗが通電を開始する。そして、時刻ｔ１〜ｔ２の停止時間Ｔｓ及び時刻ｔ２〜ｔ３の溶接トーチ４の移動を開始してから定速状態に至るまでの過渡期間中は、溶接電流Ｉｗはこの値を維持する。
【００５０】
時刻ｔ３以降の期間が定常状態の期間となる。同図（Ｄ）に示すように、移動速度信号Ｓｔは、時刻ｔ３〜ｔ４の期間中はＳt1となり、時刻ｔ４から次第に遅くなり、時刻ｔ５以降はＳt2となる。ここで、Ｓt1は図３の溶接速度設定信号Ｓｒよりも早い速度であり、Ｓt2はＳｒと略等しい速度である。このために、図３の電流制御設定回路ＩＣＲによって、時刻ｔ３〜ｔ４の期間中の電流制御設定信号Ｉcrは電流設定信号Ｉｒよりも大きな値となり、時刻ｔ５以降の期間中の電流制御設定信号Ｉcrは電流設定信号Ｉｒと略等しい値となる。この結果、同図（Ｂ）に示すように、溶接電流Ｉｗは、時刻ｔ３において増加して大きくなり、時刻ｔ４までその値を維持する。そして、溶接電流Ｉｗは、時刻ｔ４〜ｔ５の期間中は次第に減少し、時刻ｔ５以降の期間中は電流設定信号Ｉｒによって設定された値になる。
【００５１】
上述した実施の形態２によれば、定常状態における移動速度信号の値に応じて溶接電流の値を変化させる電流制御設定部を備えている。これにより、移動速度が設定値よりも速くなると溶接電流Ｉｗの値を大きくすることで溶接ビードの幅が細くなることを抑制し、移動速度が設定値よりも遅くなると溶接電流Ｉｗの値を小さくすることで溶接ビードの幅が太くなることを抑制している。
【００５２】
上述した実施の形態２は、アーク溶接装置が非消耗電極アーク溶接装置の場合であるが、プラズマアーク溶接装置の場合も同様である。また、アーク溶接装置が消耗電極アーク溶接装置の場合には、電流制御設定信号Ｉcrによって溶接ワイヤの送給速度を変化させることで溶接電流Ｉｗの値を変化させる。
【符号の説明】
【００５３】
１            電極
２            母材
３            アーク
４            溶接トーチ
ＣＤ            通電判別回路
Ｃｄ            通電判別信号
ＤＳ            加速度センサ
ＤＳＴ            移動速度変化率算出回路
Ｄst            移動速度変化率信号
Ｄｘ            ｘ軸方向の加速度信号
Ｄｙ            ｙ軸方向の加速度信号
Ｄｚ            ｚ軸方向の加速度信号
ＩＤ            溶接電流検出回路
Ｉｄ            電流検出信号
ＩＲ            電流設定回路
Ｉｒ            電流設定信号
Ｉｗ            溶接電流
ＫＨ１            第１警報発生回路
Ｋh1            第１警報信号
ＫＨ２            第２警報発生回路
Ｋh2            第２警報信号
ＫＨ３            第３警報発生回路
Ｋh3            第３警報信号
ＯＮ            トーチスイッチ
Ｏｎ            溶接開始信号
ＰＬ            異常表示灯回路
ＰＳ            溶接電源
ＳＤ            サウンド出力回路
Ｓｄ            サウンド信号
ＳＲ            溶接速度設定回路
Ｓｒ            溶接速度設定信号
ＳＴ            移動速度算出回路
Ｓｔ            移動速度（信号）
Ｓｘ            ｘ軸方向の移動速度
Ｓｙ            ｙ軸方向の移動速度
Ｓｚ            ｚ軸方向の移動速度
Ｔｓ            停止時間
Ｖｗ            溶接電圧
【図１】
2013223879.tif 000003
【図２】
2013223879.tif 000004
【図３】
2013223879.tif 000005
【図４】
2013223879.tif 000006